(57)【要約】【課題】ＦＡＸデータの転送先である端末装置の画面サイズが小さい場合でも、ユーザにＦＡＸデータの内容を認識させることができるデータ処理装置を提供する。【解決手段】複合機では、ファクシミリ通信によってＦＡＸデータが受信されると（Ｓ１）、ＦＡＸデータの画像解析が行われる（Ｓ７）。ＦＡＸデータから有効範囲が特定され（Ｓ９：ＹＥＳ）、且つ、その有効範囲が閾値以上であれば（Ｓ１１：ＹＥＳ）、ＦＡＸデータの余白削除および画像合成が行われたのち（Ｓ１３、Ｓ１５）、ＦＡＸデータの内容をスクロール表示する動画ファイルが生成される（Ｓ１７）。動画ファイルが添付された電子メールが、転送先の端末装置に送信される（Ｓ２３）。【選択図】図４
2011160118.tif 000002
【特許請求の範囲】
【請求項１】
ファクシミリ通信によって画像データを受信するデータ受信手段と、
前記データ受信手段によって前記画像データが受信された場合、前記画像データの所定範囲を所定方向にスクロール表示する動画ファイルを生成するデータ生成手段と、
前記データ生成手段によって生成された前記動画ファイルを、外部の端末装置が接続可能な記憶手段に保存する処理、および、ネットワークを介して前記端末装置に送信する処理の少なくとも一方を実行するデータ出力手段とを備えたことを特徴とするデータ処理装置。
【請求項２】
前記画像データのボディ部に含まれる余白部分を特定し、前記ボディ部のうちで前記余白部分とは異なる部分を前記所定範囲に設定する範囲設定手段を備えたことを特徴とする請求項１に記載のデータ処理装置。
【請求項３】
前記範囲設定手段によって設定された前記所定範囲の画像サイズが所定値以上であるか否かを判断するサイズ判断手段を備え、
前記データ生成手段は、前記サイズ判断手段によって前記所定範囲の画像サイズが前記所定値以上であると判断された場合に、前記動画ファイルを生成することを特徴とする請求項２に記載のデータ処理装置。
【請求項４】
前記画像データは、行単位で構成された文字情報を含む文書データであり、
前記画像データに含まれる前記文字情報が横書きおよび縦書きのいずれであるかを判断する文字状態判断手段を備え、
前記データ生成手段は、前記文字状態判断手段によって横書きであると判断された場合に、左右方向にスクロール表示する前記動画ファイルを生成する一方、前記文字状態判断手段によって縦書きであると判断された場合に、上下方向にスクロール表示する前記動画ファイルを生成することを特徴とする請求項１から３のいずれかに記載のデータ処理装置。
【請求項５】
前記データ生成手段は、前記所定範囲を全て表示するまで、前記所定方向と直交する方向に表示範囲を順次移動させながら、前記所定方向へのスクロール表示を繰り返す前記動画ファイルを生成し、
前記動画ファイルの表示範囲は、複数行の前記文字情報を含み、且つ、少なくとも前回または次回の前記所定方向へのスクロール表示で表示される前記文字情報の一部を含むことを特徴とする請求項４に記載のデータ処理装置。
【請求項６】
前記端末装置の画面サイズを含む表示画面条件を記憶する条件記憶手段と、
前記データ受信手段によって前記画像データが受信された場合、前記画像データの転送先となる前記端末装置に対応する前記表示画面条件を、前記条件記憶手段から取得する条件取得手段とを備え、
前記データ生成手段は、前記条件取得手段によって取得された前記表示画面条件に含まれる前記画面サイズに応じて、前記動画ファイルを生成することを特徴とする請求項１から５のいずれかに記載のデータ処理装置。
【請求項７】
前記条件取得手段によって取得された前記表示画面条件に含まれる前記画面サイズで、前記画像データの全体を表示可能な全体画像を生成する全体画像生成手段を備え、
前記データ生成手段は、前記全体画像生成手段によって生成された前記全体画像を含む前記動画ファイルを生成することを特徴とする請求項６に記載のデータ処理装置。
【請求項８】
前記データ出力手段は、前記画像データのヘッダ部に含まれる識別情報を、前記動画ファイルの識別情報として付与することを特徴とする請求項１から７のいずれかに記載のデータ処理装置。
【請求項９】
送信元の識別情報である送信元情報を記憶する送信元記憶手段と、
前記画像データのヘッダ部に含まれる前記送信元情報が、前記送信元記憶手段に記憶されているか否かを判断する送信元判断手段とを備え、
前記データ生成手段は、前記送信元判断手段によって前記送信元情報が記憶されていると判断された場合に、前記動画ファイルを生成することを特徴とする請求項１から８のいずれかに記載のデータ処理装置。
【請求項１０】
前記データ出力手段は、前記動画ファイルを添付した電子メール、または、前記動画ファイルに接続可能なアドレス情報を含む電子メールを、前記端末装置に送信することを特徴とする請求項１から９のいずれかに記載のデータ処理装置。
【請求項１１】
ファクシミリ通信によって画像データを受信するデータ受信ステップと、
前記データ受信ステップによって前記画像データが受信された場合、前記画像データの所定範囲を所定方向にスクロール表示する動画ファイルを生成するデータ生成ステップと、
前記データ生成ステップによって生成された前記動画ファイルを、外部の端末装置が接続可能な記憶手段に保存する処理、および、ネットワークを介して前記端末装置に送信する処理の少なくとも一方を実行するデータ出力ステップとを備えたことを特徴とするデータ処理方法。
【請求項１２】
コンピュータを、
ファクシミリ通信によって画像データを受信するデータ受信手段、
前記データ受信手段によって前記画像データが受信された場合、前記画像データの所定範囲を所定方向にスクロール表示する動画ファイルを生成するデータ生成手段、
前記データ生成手段によって生成された前記動画ファイルを、外部の端末装置が接続可能な記憶手段に保存する処理、および、ネットワークを介して前記端末装置に送信する処理の少なくとも一方を実行するデータ出力手段として機能させることを特徴とするデータ処理プログラム。
【発明の詳細な説明】
【技術分野】
【０００１】
本発明は、ファクシミリ通信によって受信した画像データを、他の端末装置に転送可能なデータ処理装置、データ処理方法およびデータ処理プログラムに関する。
【背景技術】
【０００２】
従来、ファクシミリ通信によって受信した画像データ（以下、ＦＡＸデータ）を、携帯電話やＰＤＡ（Ｐｅｒｓｏｎａｌ Ｄｉｇｉｔａｌ Ａｓｓｉｓｔａｎｔ）などの小型端末に転送可能なファクシミリ装置が知られている。例えば、このようなファクシミリ装置は、ＦＡＸデータを小型端末で表示可能な静止画フォーマット（例えば、ＰＤＦ、ＪＰＥＧ、ＴＩＦＦなど）に変換し、その変換済データを電子メールの添付ファイルとして小型端末に転送する。小型端末のユーザは、ファクシミリ装置から受信した電子メールの添付ファイルを展開することで、ＦＡＸデータの内容を適宜閲覧することができる。
【０００３】
一般に、小型端末の画面サイズは、ＦＡＸデータの一般的な原稿サイズ（例えば、Ａ４）と比べて小さい。小型端末でＦＡＸデータの内容を閲覧する場合、ユーザはキー操作によって画面をスクロールさせる必要があり、煩雑であった。そこで、ＦＡＸデータを電子メールで転送する場合に、ＦＡＸデータのサイズ変更やデータ圧縮を行うようにした画像処理装置が知られている（例えば、特許文献１参照）。
【先行技術文献】
【特許文献】
【０００４】
【特許文献１】特開２００３−１４１０２３号公報
【発明の概要】
【発明が解決しようとする課題】
【０００５】
特許文献１に記載の画像処理装置では、小型端末でＦＡＸデータの全体表示が可能となる。しかしながら、小型端末でＦＡＸデータの全体表示が行われた場合、画面上に表示される絵柄や文字などのサイズが小さくなる。この場合、ユーザは、ＦＡＸデータの詳細な内容を認識できないおそれがあった。
【０００６】
本発明は、上記課題を解決するためになされたものであり、ＦＡＸデータの転送先である端末装置の画面サイズが小さい場合でも、ユーザにＦＡＸデータの内容を認識させることができるデータ処理装置、データ処理方法およびデータ処理プログラムを提供することを目的とする。
【課題を解決するための手段】
【０００７】
本発明の第１態様に係るデータ処理装置は、ファクシミリ通信によって画像データを受信するデータ受信手段と、前記データ受信手段によって前記画像データが受信された場合、前記画像データの所定範囲を所定方向にスクロール表示する動画ファイルを生成するデータ生成手段と、前記データ生成手段によって生成された前記動画ファイルを、外部の端末装置が接続可能な記憶手段に保存する処理、および、ネットワークを介して前記端末装置に送信する処理の少なくとも一方を実行するデータ出力手段とを備えている。
【０００８】
第１態様によれば、ファクシミリ通信によって画像データが受信されると、画像データをスクロール表示する動画ファイルが生成されて、記憶手段および端末装置の少なくとも一方に出力される。端末装置にて動画ファイルが再生されると、画像データの所定範囲が所定方向にスクロール表示される。したがって、端末装置の画面サイズが小さい場合でも、画面をスクロールさせる操作の負担を抑制しつつ、ユーザに画像データの内容を認識させることができる。
【０００９】
第１態様において、前記画像データのボディ部に含まれる余白部分を特定し、前記ボディ部のうちで前記余白部分とは異なる部分を前記所定範囲に設定する範囲設定手段を備えてもよい。これによれば、動画ファイルは、画像データのボディ部に含まれる余白部分を除いた所定範囲をスクロール表示する。したがって、動画ファイルの再生時に表示される余白部分を小さくして、画面に表示されるボディ部の実データ部分を見やすくすることができる。
【００１０】
第１態様において、前記範囲設定手段によって設定された前記所定範囲の画像サイズが所定値以上であるか否かを判断するサイズ判断手段を備え、前記データ生成手段は、前記サイズ判断手段によって前記所定範囲の画像サイズが前記所定値以上であると判断された場合に、前記動画ファイルを生成してもよい。これによれば、所定範囲の画像サイズがスクロール表示に適している場合に動画ファイルが生成されるため、端末装置で再生される動画ファイルを見やすくすることができる。
【００１１】
第１態様において、前記画像データは、行単位で構成された文字情報を含む文書データであり、前記画像データに含まれる前記文字情報が横書きおよび縦書きのいずれであるかを判断する文字状態判断手段を備え、前記データ生成手段は、前記文字状態判断手段によって横書きであると判断された場合に、左右方向にスクロール表示する前記動画ファイルを生成する一方、前記文字状態判断手段によって縦書きであると判断された場合に、上下方向にスクロール表示する前記動画ファイルを生成してもよい。これによれば、動画ファイルは、画像データに含まれる文字情報を横書きまたは縦書きに応じた方向でスクロール表示する。したがって、動画ファイルの再生時に、ユーザは文字情報を読み取るために視線を動かす必要がなく、画像データの内容を容易に認識することができる。
【００１２】
第１態様において、前記データ生成手段は、前記所定範囲を全て表示するまで、前記所定方向と直交する方向に表示範囲を順次移動させながら、前記所定方向へのスクロール表示を繰り返す前記動画ファイルを生成し、前記動画ファイルの表示範囲は、複数行の前記文字情報を含み、且つ、少なくとも前回または次回の前記所定方向へのスクロール表示で表示される前記文字情報の一部を含んでもよい。これによれば、動画ファイルは、少なくとも前回または次回のスクロール表示で表示される文字情報の一部が含めて、複数行の文字情報をスクロール表示する。したがって、動画ファイルの再生時に、ユーザは現在のスクロール表示の対象となっている行と併せて前後の行を目視できるため、画像データの内容を容易に認識することができる。
【００１３】
第１態様において、前記端末装置の画面サイズを含む表示画面条件を記憶する条件記憶手段と、前記データ受信手段によって前記画像データが受信された場合、前記画像データの転送先となる前記端末装置に対応する前記表示画面条件を、前記条件記憶手段から取得する条件取得手段とを備え、前記データ生成手段は、前記条件取得手段によって取得された前記表示画面条件に含まれる前記画面サイズに応じて、前記動画ファイルを生成してもよい。これによれば、端末装置の画面サイズがスクロール表示に適している場合に動画ファイルが生成されるため、端末装置で再生される動画ファイルを見やすくすることができる。
【００１４】
第１態様において、前記条件取得手段によって取得された前記表示画面条件に含まれる前記画面サイズで、前記画像データの全体を表示可能な全体画像を生成する全体画像生成手段を備え、前記データ生成手段は、前記全体画像生成手段によって生成された前記全体画像を含む前記動画ファイルを生成してもよい。これによれば、ユーザは動画ファイルの再生時に全体画像を参照することで、画像データの全体的な構成を把握することができる。
【００１５】
第１態様において、前記データ出力手段は、前記画像データのヘッダ部に含まれる識別情報を、前記動画ファイルの識別情報として付与してもよい。これによれば、ユーザは動画ファイルの識別情報を参照することで、画像データのヘッダ部の内容を把握することができる。
【００１６】
第１態様において、送信元の識別情報である送信元情報を記憶する送信元記憶手段と、前記画像データのヘッダ部に含まれる前記送信元情報が、前記送信元記憶手段に記憶されているか否かを判断する送信元判断手段とを備え、前記データ生成手段は、前記送信元判断手段によって前記送信元情報が記憶されていると判断された場合に、前記動画ファイルを生成してもよい。これによれば、画像データの送信元に対応する送信元情報が登録されている場合に、動画ファイルが生成される。したがって、ユーザとの関係で重要な送信元から受信した画像データを、ユーザは動画ファイルとして閲覧することができる。
【００１７】
第１態様において、前記データ出力手段は、前記動画ファイルを添付した電子メール、または、前記動画ファイルに接続可能なアドレス情報を含む電子メールを、前記端末装置に送信してもよい。これによれば、電子メールを受信可能な端末装置に、動画ファイルを出力することができる。
【００１８】
本発明の第２態様に係るデータ処理方法は、ファクシミリ通信によって画像データを受信するデータ受信ステップと、前記データ受信ステップによって前記画像データが受信された場合、前記画像データの所定範囲を所定方向にスクロール表示する動画ファイルを生成するデータ生成ステップと、前記データ生成ステップによって生成された前記動画ファイルを、外部の端末装置が接続可能な記憶手段に保存する処理、および、ネットワークを介して前記端末装置に送信する処理の少なくとも一方を実行するデータ出力ステップとを備えている。
【００１９】
第２態様によれば、ファクシミリ通信によって画像データが受信されると、画像データをスクロール表示する動画ファイルが生成されて、記憶手段および端末装置の少なくとも一方に出力される。端末装置にて動画ファイルが再生されると、画像データの所定範囲が所定方向にスクロール表示される。したがって、端末装置の画面サイズが小さい場合でも、画面をスクロールさせる操作の負担を抑制しつつ、ユーザに画像データの内容を認識させることができる。
【００２０】
本発明の第３態様に係るデータ処理プログラムは、コンピュータを、ファクシミリ通信によって画像データを受信するデータ受信手段、前記データ受信手段によって前記画像データが受信された場合、前記画像データの所定範囲を所定方向にスクロール表示する動画ファイルを生成するデータ生成手段、前記データ生成手段によって生成された前記動画ファイルを、外部の端末装置が接続可能な記憶手段に保存する処理、および、ネットワークを介して前記端末装置に送信する処理の少なくとも一方を実行するデータ出力手段として機能させることを特徴とする。
【００２１】
第３態様によれば、ファクシミリ通信によって画像データが受信されると、画像データをスクロール表示する動画ファイルが生成されて、記憶手段および端末装置の少なくとも一方に出力される。端末装置にて動画ファイルが再生されると、画像データの所定範囲が所定方向にスクロール表示される。したがって、端末装置の画面サイズが小さい場合でも、画面をスクロールさせる操作の負担を抑制しつつ、ユーザに画像データの内容を認識させることができる。
【図面の簡単な説明】
【００２２】
【図１】第１実施形態に係るネットワークシステムの全体構成図である。
【図２】複合機１の電気的構成を示すブロック図である。
【図３】ＥＥＰＲＯＭ２３の記憶領域を示す図である。
【図４】第１実施形態のＦＡＸ転送処理を示すフローチャートである。
【図５】ＦＡＸデータ６０の一例を示す図である。
【図６】ＦＡＸデータ６０の有効範囲６３を特定する場合を説明するための図である。
【図７】合成画像７０の一例を示す図である。
【図８】動画化処理を示すフローチャートである。
【図９】合成画像７０から文字情報を取り込む場合を説明するための図である。
【図１０】第１実施形態のデータ受信処理を示すフローチャートである。
【図１１】動画ファイル９０の再生時における表示画像の流れを説明するための図である。
【図１２】第２実施形態に係るネットワークシステムの全体構成図である。
【図１３】第２実施形態のＦＡＸ転送処理を示すフローチャートである。
【図１４】データ仲介処理を示すフローチャートである。
【図１５】第２実施形態のデータ受信処理を示すフローチャートである。
【発明を実施するための形態】
【００２３】
以下、本発明を具体化した実施の形態について、図面を参照して説明する。なお、参照する図面は、本発明が採用しうる技術的特徴を説明するために用いられるものであり、記載されている装置の構成、各種処理のフローチャートなどは、それのみに限定する趣旨ではなく、単なる説明例である。
【００２４】
本発明の第１実施形態について、図１〜図１１を参照して説明する。図１に示すように、第１実施形態に係るネットワークシステムでは、プリンタ、ファクシミリ、電話機、コピー機等の機能を併せ持つ複合機１が、公衆回線４およびＬＡＮ（Ｌｏｃａｌ Ａｒｅａ Ｎｅｔｗｏｒｋ）７に接続されている。複合機１は、公衆回線４を介して、ＦＡＸ機２との間でファクシミリ通信を行ったり、電話機３との間で音声通信を行ったりすることができる。複合機１は、ＬＡＮ７に接続されている端末装置（図１では、ＰＣ６）との間で、データ通信を行うことができる。
【００２５】
さらに、複合機１は、ＬＡＮ７を介して、インターネット８に接続可能である。複合機１は、インターネット８に接続されている端末装置（図１では、携帯電話５）との間で、電子メールなどのデータ通信を行うことができる。携帯電話５は、公知の携帯電話と同様であり、画面５１および操作キー５２の他、図示しないＣＰＵ、ＲＯＭ、ＲＡＭ、ＥＥＰＲＯＭ、マイク、スピーカ、通信制御部などを備える。
【００２６】
図２を参照して、複合機１について説明する。複合機１には、複合機１の制御を司るＣＰＵ２０が設けられている。ＣＰＵ２０には、ＲＯＭ２１、ＲＡＭ２２、ＥＥＰＲＯＭ２３、液晶ディスプレイ（ＬＣＤ）２５、および操作キー２６が、バスを介して接続されている。ＲＯＭ２１は、複合機１を動作させるための各種プログラム等を記憶する。ＲＯＭ２１に記憶されているプログラムは、ＣＰＵ２０に後述のＦＡＸ転送処理（図４参照）を実行させるプログラムを含む。ＲＡＭ２２は、各種のデータを一時的に記憶する。ＥＥＰＲＯＭ２３は、ＦＡＸ機２から受信したＦＡＸデータや、ＦＡＸデータの転送を行うか否かを示すフラグ情報（以下、ＦＡＸ転送フラグ）などを記憶するが、詳細は後述する。
【００２７】
ＣＰＵ２０には、ＬＡＮ７に対する通信接続を制御するＬＡＮコントローラ２９、紙媒体に印刷を行う記録部２８、紙媒体から情報を読み取るスキャナ部２４、および、音声信号とデジタルデータとを変換するモデム４１が、バスを介して接続されている。モデム４１には、公衆回線４に対する通信接続を制御する回線制御部４２が接続されている。回線制御部４２には、音声を入出力するハンドセット４３が接続されている。
【００２８】
本実施形態では、ユーザは操作キー２６を用いて、複合機１にＦＡＸデータの転送を行うか否かを設定することができる。例えば、ユーザは外出する際に操作キー２６を用いて、複合機１にＦＡＸ転送モードを設定する。複合機１にＦＡＸ転送モードが設定されると、ＥＥＰＲＯＭ２３に記憶されているＦＡＸ転送フラグが「ＯＮ」にセットされる。複合機１は、一の端末装置からＦＡＸデータを受信したときに、ＦＡＸ転送フラグが「ＯＮ」に設定されていれば、そのＦＡＸデータを他の端末装置に転送する。以下では、複合機１がＦＡＸ機２からＦＡＸデータを受信した場合に、そのＦＡＸデータが複合機１から携帯電話５に転送される場合を例示する。
【００２９】
図３を参照して、ＥＥＰＲＯＭ２３が有する各種記憶領域のうち、ＦＡＸデータの転送に関する記憶領域について説明する。ＥＥＰＲＯＭ２３は、ＦＡＸデータ記憶エリア２３１、送信元情報記憶エリア２３２、転送先情報記憶エリア２３３、および変換済データ記憶エリア２３４を有している。ＦＡＸデータ記憶エリア２３１は、複合機１がファクシミリ通信によって受信したＦＡＸデータを記憶する領域である。
【００３０】
送信元情報記憶エリア２３２は、複合機１との間でファクシミリ通信が行われる端末装置に関する情報（以下、送信元情報と称する。）を記憶する領域である。複合機１は、送信元情報記憶エリア２３２に送信元情報が登録されている端末装置からＦＡＸデータを受信した場合に、ＦＡＸデータの転送を実行する。ユーザは、ＦＡＸデータの送信元となる端末装置（以下、送信元端末と称する。）を、操作キー２６を用いて送信元情報記憶エリア２３２に登録することができる。本実施形態では、ＦＡＸ機２のユーザ名や電話番号などを示す送信元情報が、送信元情報記憶エリア２３２にあらかじめ登録されている。
【００３１】
転送先情報記憶エリア２３３は、複合機１からＦＡＸデータが転送される端末装置に関する情報（以下、転送先情報と称する。）を記憶する領域である。複合機１は、転送先情報記憶エリア２３３に転送先情報が登録されている端末装置に、ＦＡＸデータを転送する。ユーザは、ＦＡＸデータの転送先となる端末装置（以下、転送先端末と称する。）を、操作キー２６を用いて転送先情報記憶エリア２３３に登録することができる。本実施形態では、携帯電話５のユーザ名、メールアドレス、画面サイズ（画面５１の表示可能サイズ）、対応データ形式などを示す転送先情報が、転送先情報記憶エリア２３３にあらかじめ登録されている。
【００３２】
本実施形態の複合機１は、ＦＡＸデータをそのまま携帯電話５に転送するのではなく、ＦＡＸデータを携帯電話５で表示するのに適したデータに変換し、その変換済データを携帯電話５に転送する。変換済データ記憶エリア２３４は、複合機１にて生成された変換済データを記憶する。変換済データについては、別途後述する。
【００３３】
図４〜図９を参照して、第１実施形態に係る複合機１で実行されるＦＡＸ転送処理を説明する。ＦＡＸ転送処理（図４）は、先述のＦＡＸ転送フラグが「ＯＮ」に設定されている状態において、送信元端末（本実施形態では、ＦＡＸ機２）との間でファクシミリ通信が開始されると、ＣＰＵ２０によって実行される。
【００３４】
図４に示すように、第１実施形態のＦＡＸ転送処理では、まずファクシミリ通信によってＦＡＸデータが受信される（Ｓ１）。ステップＳ１で受信されたＦＡＸデータは、ＦＡＸデータ記憶エリア２３１に保存される。本実施形態では、図５に示すＦＡＸデータ６０を、複合機１がＦＡＸ機２から受信する。ＦＡＸデータ６０は、Ａ４サイズの文書データであり、ヘッダ部６１およびボディ部６２を含む。ヘッダ部６１は、送信日時、ページ番号、文書名などの関連情報を含む。ボディ部６２は、文書本体を構成する部分であり、行単位で構成された文字情報を含む。
【００３５】
ステップＳ１の実行後、ＦＡＸデータの送信元が、複合機１に登録されているか否かが判断される（Ｓ３）。具体的には、ステップＳ１で受信されたＦＡＸデータの送信元端末に対応する送信元情報が、送信元情報記憶エリア２３２に記憶されているか否かが判断される。ＦＡＸデータの送信元が登録されていない場合（Ｓ３：ＮＯ）、ＦＡＸ転送処理（図４）が終了される。つまり、未登録の送信元端末から受信したＦＡＸデータは、例えばダイレクト広告やいたずら文書のように重要度が低いものと考えられるため、ＦＡＸデータの転送は行われない。
【００３６】
一方、ＦＡＸデータの送信元が登録されている場合（Ｓ３：ＹＥＳ）、送信元端末のユーザは、例えば知人、友人、親族など、複合機１のユーザに関係のある人物であることを示す。この場合、転送先情報記憶エリア２３３に記憶されている転送先情報が、ＲＡＭ２２に読み出される（Ｓ５）。ステップＳ５に読み出された転送先情報が示す端末装置が、ＦＡＸデータの転送先に設定される。本実施形態では、送信元情報記憶エリア２３２にＦＡＸ機２の送信元情報が登録されているため、転送先情報記憶エリア２３３から携帯電話５の転送先情報が読み出され、携帯電話５がＦＡＸデータ６０の転送先に設定される。
【００３７】
ステップＳ５の実行後、ステップＳ１で受信されたＦＡＸデータの画像解析が実行される（Ｓ７）。ステップＳ７の画像解析では、公知の手法によって、ＦＡＸデータのヘッダ部およびボディ部が特定される。ボディ部について、文字方向（縦書きまたは横書き）、文字列数（つまり、行数）、余白部分などが特定される。ボディ部のうちで余白部分とは異なる部分（つまり、実データ部）が、ＦＡＸデータの有効範囲に設定される。本実施形態では、図６に示すように、ＦＡＸデータ６０が画像解析されて、ボディ部６２から余白部分を除いた文字情報の表示領域が有効範囲６３に設定される。
【００３８】
ステップＳ７の解析結果に基づいて、ＦＡＸデータの有効範囲が特定されたか否かが判定される（Ｓ９）。ＦＡＸデータの有効範囲が特定された場合（Ｓ９：ＹＥＳ）、その有効範囲が閾値以上であるか否かが判断される（Ｓ１１）。具体的には、ＦＡＸデータの有効範囲の画像サイズが、ステップＳ５で読み出された転送先情報が示す画面サイズに対して所定比率（例えば、３００％）以上であれば、その有効範囲は閾値以上であると判断される（Ｓ１１：ＹＥＳ）。本実施形態では、ＦＡＸデータ６０の有効範囲６３の画像サイズは、携帯電話５の画面サイズに対して３００％以上である。
【００３９】
ＦＡＸデータの有効範囲が閾値以上である場合（Ｓ１１：ＹＥＳ）、ＦＡＸデータに含まれる実データ部（すなわち、文字情報）の画像サイズが、携帯電話５の画面サイズに比べて非常に大きいことを示す。この場合、例えば携帯電話５がＦＡＸデータを原サイズのままで画面５１に表示すると、ユーザが操作キー５２を用いて表示画面のスクロールさせる操作の負担が大きい。また、携帯電話５がＦＡＸデータを縮小して画面５１に表示すると、文字情報が小さくなりすぎて読み取りにくくなる。そこで、次のようにＦＡＸデータの動画化に係る処理が実行される。
【００４０】
すなわち、ＦＡＸデータのボディ部から余白部分が削除され（Ｓ１３）、ボディ部の実データ部のみを含む画像が合成される（Ｓ１５）。本実施形態では、図７に示すように、ＦＡＸデータ６０のボディ部６２（図５参照）から余白部分が削除されて、有効範囲６３（図６参照）のみを含む合成画像７０が生成される。ステップＳ１５の実行後、ＦＡＸデータを動画化した動画ファイルを生成する動画化処理が実行されるが（Ｓ１７）、詳細は後述する。
【００４１】
一方、ＦＡＸデータの有効範囲が特定されなかった場合（Ｓ９：ＮＯ）、または、ＦＡＸデータの有効範囲が閾値未満である場合（Ｓ１１：ＹＥＳ）、ＦＡＸデータを静止画化した静止画データを生成する静止画化処理が実行される（Ｓ１９）。具体的には、ＦＡＸデータのデータ形式を、ステップＳ５で読み出された転送先情報が示す対応データ形式（例えば、ＪＰＥＧ形式、ＧＩＦ形式、ＰＤＦ形式など）に変換することで、ＦＡＸデータに対応する静止画データが生成される。ステップＳ１９で生成された静止画データは、変換済データ記憶エリア２３４に変換済データとして保存される。
【００４２】
ステップＳ１７またはステップＳ１９の実行後、電子メールの送信設定が実行される（Ｓ２１）。具体的には、ステップＳ５で読み出された転送先情報が示すメールアドレスが、電子メールの送信先に設定される。ステップＳ７で特定されたヘッダ部の内容が、電子メールのタイトル名または変換済データのファイル名に設定される。ステップＳ１７またはステップＳ１９で生成された変換済データが、電子メールの添付ファイルに設定される。ステップＳ２１の実行後、電子メールの送信が実行されて（Ｓ２３）、ＦＡＸ転送処理（図４）が終了される。
【００４３】
本実施形態では、携帯電話５のメールアドレスが、電子メールの送信先に設定される。ヘッダ部６１（図５参照）の内容が、電子メールのタイトル名に設定される。後述の動画ファイル９０（図１１参照）が、電子メールの添付ファイルに設定される。このように設定された電子メールは、複合機１から携帯電話５に送信される。
【００４４】
図８を参照して、動画化処理（Ｓ１７）の詳細について説明する。動画化処理（Ｓ１７）では、まずＥＥＰＲＯＭ２３に記憶されている変数Ｍに「０」が設定される（Ｓ５１）。ステップＳ５１の実行後、ステップＳ７の解析結果に基づいて、ＦＡＸデータの文字方向が特定され（Ｓ５３）、ＦＡＸデータの行数が特定される（Ｓ５５）。本実施形態では、ＦＡＸデータ６０の解析結果に基づいて、文字方向「横書き」および行数「８」が特定される（図５参照）。
【００４５】
ステップＳ５５の実行後、ＦＡＸデータの全体画像が生成される（Ｓ５７）。全体画像は、転送先端末が有する表示画面において、ＦＡＸデータの画像全体を表示可能な画像データである。具体的には、ステップＳ５で読み出された転送先情報が示す画面サイズに合わせて、ＦＡＸデータの画像サイズを縮小した画像データが生成される。本実施形態では、ＦＡＸデータ６０の画像全体が携帯電話５の画面５１に合わせて縮小表示される全体画像８０（図１１参照）が生成される。
【００４６】
ステップＳ５７で生成された全体画像が、Ｎ秒間（例えば、３秒）取り込まれる（Ｓ５９）。具体的には、ＲＡＭ２２上に展開された全体画像が３秒間取り込まれて、その全体画像を３秒間表示する動画データが生成される。ステップＳ５９で生成された全体画像の動画データは、ＥＥＰＲＯＭ２３に時系列で記録される。本実施形態では、全体画像８０（図１１参照）を３秒間表示する動画データが生成される。
【００４７】
ステップＳ５９の実行後、ＥＥＰＲＯＭ２３に記憶されている変数Ｍに「１」加算される（Ｓ６１）。ステップＳ１５で生成された合成画像のうち、「Ｍ」行目および「Ｍ＋１」行目を含む画像領域が動画データとして取り込まれる（Ｓ６３）。具体的には、ステップＳ６３では以下の処理が実行される。
【００４８】
まず、合成画像に含まれる２行分の文字情報（「Ｍ」行目および「Ｍ＋１」行目）を１フレームとして取込可能な取込幅（つまり、合成画像の文字方向とは直交する方向の長さ）を有する画像取込範囲が設定される。ＲＡＭ２２上に展開された合成画像に対して、画像取込範囲をステップＳ５３で特定された文字方向に沿って移動させつつ、画像取込範囲に含まれる画像領域が連続的に取り込まれる。画像領域の取り込みは、「Ｍ」行目に含まれる全ての文字情報が取り込まれるまで、つまり「Ｍ」行目に含まれる最後の文字情報が取り込まれるまで継続される。これにより、合成画像に含まれる２行分の文字情報（「Ｍ」行目および「Ｍ＋１」行目）を、複数フレームでスクロール表示する動画データが生成される。
【００４９】
ステップＳ６３で生成された２行単位の動画データは、ＥＥＰＲＯＭ２３に時系列で記録される。なお、画像読取範囲が合成画像の文字方向に沿って移動する速度は、人間が一方向に文字情報を読み取る速度（例えば、１秒間あたり１０文字分）と同程度であることが好適である。これにより、２行単位の動画データの再生時に、画面上でスクロール表示される文字情報を、ユーザが確実かつ円滑に読み取れることができる。
【００５０】
ステップＳ６３の実行後、合成画像に含まれる全ての行が取り込まれたか否かが判断される（Ｓ６５）。具体的には、ＥＥＰＲＯＭ２３に記憶されている変数Ｍが、ステップＳ５５で特定された行数以上であるか否かが判断される。変数Ｍが行数未満である場合（Ｓ６５：ＮＯ）、ステップＳ６１に処理が戻り、変数Ｍに「１」加算される。これにより、合成画像に含まれる全ての行が取り込まれるまで、画像読取範囲が１行ずつ移動しながら、２行単位の動画データが複数生成される。
【００５１】
本実施形態では、図９に示すように、合成画像７０に含まれる横書き８行の文字情報について、まず２行分を読み取り可能な画像読取範囲が設定される。合成画像７０に対して画像読取範囲が右方向に移動されながら、１〜２行目の文字情報が取り込まれて、１〜２行目をスクロール表示する動画データが生成される。同様に、２〜３行目の動画データ、３〜４行目の動画データ、４〜５行目の動画データ、・・・が順に生成され、最後に８行目のみをスクロール表示する動画データが生成される。
【００５２】
変数Ｍが行数以上である場合（Ｓ６５：ＹＥＳ）、合成画像に含まれる全ての行が取り込まれたから、フレーム間の補間処理が実行される（Ｓ６７）。フレーム間の補間処理は、ステップＳ６３で生成されて時系列で前後に並ぶ各動画データを、公知のフレーム補間技術によって補間する。例えば、時系列で前後に並ぶ動画データごとに、前側の動画データの最終フレームと、後側の動画データの先頭フレームとを補間する補間フレームが生成される。複数の動画データを時系列に再生する場合には、前側の動画データの終了時から後側の動画データの開始時までの間で補間フレームを再生することで、動画全体のスクロール表示をより滑らかにすることができる。
【００５３】
ステップＳ６７の実行後、ＦＡＸデータをスクロール表示する動画ファイルが生成される（Ｓ６９）。具体的には、ＥＥＰＲＯＭ２３に記憶されている複数の動画データを、ステップＳ６７で生成された補間フレームを含めて時系列で合成した動画ファイルが生成される。このとき、ステップＳ５で読み出された転送先情報が示す対応データ形式（例えば、ＭＰＥＧ形式、ＡＶＩ形式など）で、動画ファイルが生成される。ステップＳ６９で生成された動画ファイルは、変換済データ記憶エリア２３４に変換済データとして保存される。
【００５４】
本実施形態では、ＥＥＰＲＯＭ２３に記憶されている順に、全体画像８０の動画データ、１〜２行目の動画データ、２〜３行目の動画データ、３〜４行目の動画データ、・・・８行目の動画データがひとつに合成された動画ファイル９０（図１１参照）が生成される。ステップＳ６９の実行後、動画化処理（図８）が終了されて、ＦＡＸ転送処理（図４）に処理が戻る。
【００５５】
図１０および図１１を参照して、第１実施形態に係る携帯電話５で実行されるデータ受信処理を説明する。データ受信処理（図１０）は、電子メールの送信元である端末装置（本実施形態では、複合機１）との間でデータ通信が開始されると、携帯電話５のＣＰＵによって実行される。
【００５６】
図１０に示すように、第１実施形態のデータ受信処理では、まずデータ通信によって電子メールが受信される（Ｓ７１）。ステップＳ７１で受信された電子メールは、携帯電話５のＥＥＰＲＯＭに保存される。ステップＳ７１の実行後、電子メールの閲覧指示があるか否かが判断される（Ｓ７３）。例えばユーザが携帯電話５の操作キー５２を用いて電子メールを選択した場合、電子メールの閲覧指示ありと判断される（Ｓ７３：ＹＥＳ）。電子メールの閲覧指示がない場合（Ｓ７３：ＮＯ）、データ受信処理（図１０）が終了される。
【００５７】
本実施形態では、携帯電話５は複合機１から電子メールを受信する。先述のように、電子メールのタイトル名には、ＦＡＸデータ６０のヘッダ部６１の内容が設定されている。携帯電話５のユーザは、画面５１に表示された電子メールのタイトル名を閲覧するだけで、ヘッダ部６１に記載された内容を把握することができる。
【００５８】
電子メールの閲覧指示があった場合（Ｓ７３：ＹＥＳ）、ユーザによって選択された電子メールの添付ファイルが、動画ファイルであるか否かが判断される（Ｓ７５）。添付ファイルが動画ファイルである場合（Ｓ７５：ＹＥＳ）、その動画ファイルが再生される（Ｓ７７）。具体的には、携帯電話５のＲＯＭから動画ファイルを再生するアプリケーションが読み出され、画面５１で動画ファイルが再生される。
【００５９】
本実施形態では、複合機１から受信した電子メールには、動画ファイル９０が添付されている。携帯電話５で動画ファイル９０が再生されると、図１１に示すように、画面５１にＦＡＸデータ６０の画像内容がスクロール表示される。なお、図１１に示す時間ｔ１〜ｔ４は、動画ファイル９０の再生時間ｔの流れを示している。
【００６０】
動画ファイル９０の再生時には、まず全体画像８０の動画データが３秒間表示される（時間ｔ１参照）。全体画像８０の表示が終了すると、合成画像７０から取り込まれた１〜２行目の動画データが、１行目の先頭位置から文字方向（図１１では右方向）にスクロール表示される（時間ｔ２参照）。１行目の終端位置まで表示されると（時間ｔ３参照）、２〜３行目の動画データが、２行目の先頭位置から上記と同様にスクロール表示される（時間ｔ４参照）。以下、３〜４行目の動画データ、４〜５行目の動画データ・・・、８行目の動画データが、順にスクロール表示される。
【００６１】
このように、動画ファイル９０の再生時には、まず全体画像８０が表示されるため、ユーザはＦＡＸデータ６０の全体的な構成を把握することができる。次に、合成画像７０に含まれる文字情報が文字方向に沿ってスクロール表示されるため、ユーザは文字情報を読み取るために視線を動かす必要がない。したがって、ユーザは携帯電話５でスクロール操作を行うことなく、ＦＡＸデータ６０の詳細な内容を読み取ることができる。
【００６２】
また、動画ファイル９０の再生時には、次回のスクロール表示時に表示される行を含む２行単位で、文字情報のスクロール表示が実行される。つまり、現在のスクロール表示で表示される文字情報は、次回のスクロール表示で表示される文字情報の一部と重複している。したがって、ユーザは、現在のスクロール表示の対象となっている行の文字情報と併せて、次行の文字情報も目視可能である。したがって、ＦＡＸデータ６０に含まれる文字情報の見落としを抑制でき、かつＦＡＸデータ６０が示す内容を容易かつ正確に把握させることができる。
【００６３】
さらに、動画ファイル９０の再生時は、ＦＡＸデータ６０のボディ部６２に含まれる余白部分を除いた有効範囲６３がスクロール表示される。したがって、動画ファイル９０の再生時に表示される余白部分を小さくして、画面５１に表示されるボディ部６２の実データ部分（つまり、文字情報）を見やすくすることができる。
【００６４】
先述したように、動画ファイル９０は、人間が一方向に文字情報を読み取る速度でスクロール表示を実行することで、ユーザに文字情報を確実かつ円滑に読み取らせることができる。一方、人間が文字情報を読み取る速度には個人差があることから、動画ファイル９０の再生時にユーザが操作キー５２を操作することで、スクロール表示の速度を調整できるようにしてもよい。
【００６５】
ステップＳ７７の実行後、動画ファイルの再生が終了したか否かが判断される（Ｓ７９）。例えば、動画ファイルが最終データまで再生された場合や、ユーザによって動画ファイルの再生中止が指示された場合は、動画ファイルの再生が終了したと判断される（Ｓ７９：ＹＥＳ）。この場合、データ受信処理（図１０）が終了される。動画ファイルの再生が終了していない場合は（Ｓ７９：ＮＯ）、ステップＳ７７に処理が戻り、動画ファイルの再生が継続される。
【００６６】
一方、添付ファイルが動画ファイルでない場合には（Ｓ７５：ＮＯ）、添付ファイルは静止画データであるか否かが判断される（Ｓ８１）。添付ファイルが静止画データである場合（Ｓ８１：ＮＯ）、その静止画データが表示される（Ｓ８３）。具体的には、携帯電話５のＲＯＭから静止画データを再生するアプリケーションが読み出され、画面５１で静止画データが表示される。
【００６７】
ステップＳ８３の実行後、静止画データの表示が終了したか否かが判断される（Ｓ８５）。例えば、ユーザによって静止画データの表示中止が指示された場合は、静止画データの表示が終了したと判断される（Ｓ８５：ＹＥＳ）。この場合、データ受信処理（図１０）が終了される。静止画データの表示が終了していない場合は（Ｓ８５：ＮＯ）、ステップＳ８３に処理が戻り、静止画データの表示が継続される。なお、添付ファイルが携帯電話５で出力不可能なデータである場合や、電子メールに添付ファイルがない場合などは、添付ファイルは動画ファイルおよび静止画データのいずれでもないと判断される（Ｓ８１：ＮＯ）。この場合も、データ受信処理（図１０）が終了される。
【００６８】
以上説明したように、本発明の第１実施形態によれば、複合機１は、送信元端末（ＦＡＸ機２）からＦＡＸデータを受信すると、そのＦＡＸデータをスクロール表示する動画ファイルを生成して、転送先端末（携帯電話５）に送信する。転送先端末（携帯電話５）は、複合機１から受信した動画ファイルが再生されると、ＦＡＸデータの有効範囲を文字方向にスクロール表示する。したがって、転送先端末（携帯電話５）の画面サイズが小さい場合でも、画面をスクロールさせる操作の負担を抑制しつつ、ユーザにＦＡＸデータの内容を認識させることができる。
【００６９】
本発明の第２実施形態について、図１２〜図１５を参照して説明する。以下では、第１実施形態と共通の構成については、第１実施形態と同一の符号を付して説明を省略し、第１実施形態と異なる点のみを説明する。
【００７０】
図１２に示すように、第２実施形態に係るネットワークシステムは、第１実施形態に係るネットワークシステムの構成に加えて、ファイルサーバ９がインターネット８に接続されている。複合機１は、インターネット８を介してファイルサーバ９との間でデータ通信を行うことができる。本実施形態では、複合機１にて受信されたＦＡＸデータは、ファイルサーバ９を介して転送先端末に転送される。
【００７１】
ファイルサーバ９は、公知のファイルサーバと同様であり、図示しないＣＰＵ、ＲＯＭ、ＲＡＭ、ＥＥＰＲＯＭ、ハードディスク（ＨＤＤ）、通信制御部などを備える。本実施形態では、ファイルサーバ９の電源がＯＮ状態である間は、ファイルサーバ９のＣＰＵが後述のデータ仲介処理（図１４）を継続的に実行する。
【００７２】
図１３を参照して、第２実施形態に係る複合機１で実行されるＦＡＸ転送処理を説明する。第２実施形態のＦＡＸ転送処理では、まず第１実施形態のステップＳ１〜Ｓ１９と同様の処理が実行され（Ｓ１０１〜Ｓ１１９）、変換済データ記憶エリア２３４（図５参照）に変換済データが保存される。ステップＳ１１７またはステップＳ１１９で生成された変換済データは、ファイルサーバ９にアップロードされる（Ｓ１２１）。具体的には、ファイルサーバ９にアップロード要求が送信される。複合機１とファイルサーバ９との間で通信が確立されると、複合機１からファイルサーバ９に変換済データがアップロードされる。
【００７３】
図１４を参照して、第２実施形態に係るファイルサーバ９で実行されるデータ仲介処理のうち、変換済データのアップロードに関する処理を説明する。データ仲介処理では、変換済データのアップロード要求ありか否かが判断される（Ｓ１５１）。ファイルサーバ９がアップロード要求を受信している場合（Ｓ１５１：ＹＥＳ）、要求元の端末装置との間で通信が確立されて、その端末装置から変換済データが受信される（Ｓ１５３）。ステップＳ１５３で受信された変換済データは、ファイルサーバ９のＨＤＤに保存される。
【００７４】
ステップＳ１５３の実行後、変換済データの保存先ＵＲＬ（Ｕｎｉｆｏｒｍ  Ｒｅｓｏｕｒｃｅ  Ｌｏｃａｔｏｒ）が設定される（Ｓ１５５）。保存先ＵＲＬは、ファイルサーバ９のＨＤＤに保存された変換済データのリソース位置を特定する情報である。ステップＳ１５５で設定された保存先ＵＲＬは、要求元の端末装置に返信される（Ｓ１５７）。ステップＳ１５７の実行後、または、アップロード要求がない場合（Ｓ１５１：ＮＯ）、後述のステップＳ１５９に処理が進む。
【００７５】
ＦＡＸ転送処理（図１３）に戻り、ステップＳ１２１の実行後、ファイルサーバ９から保存先ＵＲＬが受信されて（Ｓ１２３）、第１実施形態のステップＳ２１と同様にメール送信設定が実行される（Ｓ１２５）。ただし、ステップＳ１２５のメール送信設定では、電子メールの添付ファイル設定に替えて、ステップＳ１２３で受信された保存先ＵＲＬが電子メールのボディ部に設定される。ステップＳ１２５の実行後、電子メールの送信が実行されて（Ｓ１２７）、ＦＡＸ転送処理（図１３）が終了される。
【００７６】
本実施形態では、複合機１は、ＦＡＸ機２からＦＡＸデータ６０を受信すると、そのＦＡＸデータ６０に基づいて動画ファイル９０を生成して、ファイルサーバ９にアップロードする（Ｓ１０１〜Ｓ１２１）。ファイルサーバ９は、複合機１からアップロードされた動画ファイル９０を保存して、動画ファイル９０の保存先ＵＲＬを複合機１に返信する（Ｓ１５１：ＹＥＳ、Ｓ１５３〜Ｓ１５７）。複合機１は、動画ファイル９０の保存先ＵＲＬを受信して、その保存先ＵＲＬが設定された電子メールを携帯電話５に送信する（Ｓ１２３〜Ｓ１２７）。
【００７７】
図１５を参照して、第２実施形態に係る携帯電話５で実行されるデータ受信処理を説明する。第２実施形態のデータ受信処理では、第１実施形態のステップＳ７１と同様に電子メールが受信される（Ｓ２０１）。ステップＳ２０１の実行後、保存先ＵＲＬへの接続指示があるか否かが判断される（Ｓ２０３）。例えばユーザが携帯電話５の操作キー５２を用いて、電子メールのボディ部に示される保存先ＵＲＬを選択した場合、保存先ＵＲＬへの接続指示ありと判断される（Ｓ２０３：ＹＥＳ）。
【００７８】
保存先ＵＲＬへの接続指示がある場合（Ｓ２０３：ＹＥＳ）、変換済データのダウンロードが実行される（Ｓ２０５）。具体的には、保存先ＵＲＬへの接続要求（つまり、保存先ＵＲＬに位置する変換済ファイルのダウンロード要求）が、ファイルサーバ９に送信される。携帯電話５とファイルサーバ９との間で通信が確立されると、ファイルサーバ９から携帯電話５に変換済データがダウンロードされる。
【００７９】
図１４を参照して、第２実施形態に係るファイルサーバ９で実行されるデータ仲介処理のうち、変換済データのダウンロードに関する処理を説明する。データ仲介処理では、変換済データのダウンロード要求ありか否かが判断される（Ｓ１５９）。ファイルサーバ９がダウンロード要求を受信している場合（Ｓ１５９：ＹＥＳ）、ダウンロード要求によって指定された保存先ＵＲＬの変換済データが、ファイルサーバ９のＨＤＤから読み出される（Ｓ１６１）。ステップＳ１６１の実行後、要求元の端末装置との間で通信が確立されて、その端末装置にステップＳ１６１で読み出された変換済データが送信される（Ｓ１６３）。
【００８０】
ＦＡＸ転送処理（図１３）に戻り、ステップＳ２０５の実行後、ファイルサーバ９から動画ファイルを受信したか否かが判断される（Ｓ２０７：ＹＥＳ）。受信データが動画ファイルである場合（Ｓ２０７：ＹＥＳ）、その動画ファイルが再生される（Ｓ２０９）。ステップＳ２０９の実行後、第１実施形態のステップＳ７９と同様に、動画ファイルの再生が終了したか否かが判断される（Ｓ２１１）。動画ファイルの再生が終了していない場合（Ｓ２１１：ＮＯ）、ステップＳ２０９に処理が戻り、動画ファイルの再生が継続される。
【００８１】
本実施形態では、携帯電話５のＲＯＭに、ファイルサーバ９から送信される動画ファイルを受信しながら同時に再生を行なう、所謂ストリーミング方式のアプリケーションが記憶されている。ステップＳ２０９では、携帯電話５のＲＯＭからストリーミング方式のアプリケーションが読み出され、画面５１で動画ファイルがストリーミング方式で再生される。これにより、携帯電話５における動画ファイルの再生処理を迅速にすることができる。
【００８２】
一方、ファイルサーバ９から動画ファイルを受信していない場合（Ｓ２０７：ＮＯ）、ファイルサーバ９から静止画データを受信したか否かが判断される（Ｓ２１３）。受信データが静止画データである場合（Ｓ２１３：ＹＥＳ）、第１実施形態のステップＳ８３〜Ｓ８５と同様に、静止画データが表示されて（Ｓ２１５）、静止画データの表示が終了したか否かが判断される（Ｓ２１７）。静止画データの表示が終了していない場合（Ｓ２１７：ＮＯ）、ステップＳ２１５に処理が戻り、静止画データの表示が継続される。
【００８３】
動画ファイルの再生が終了した場合（Ｓ２１１：ＹＥＳ）、または、静止画データの表示が終了した場合（Ｓ２１７：ＹＥＳ）、データ受信処理（図１４）が終了される。なお、ファイルサーバ９から携帯電話５で出力不可能なデータを受信した場合や、ファイルサーバ９からダウンロードされたデータがない場合などは、ファイルサーバ９から動画ファイルおよび静止画データのいずれも受信していないと判断される（Ｓ２１３：ＮＯ）。この場合も、データ受信処理（図１４）が終了される。
【００８４】
本実施形態では、携帯電話５は、複合機１から保存先ＵＲＬが設定された電子メールを受信する（Ｓ２０１）。ユーザが保存先ＵＲＬへの接続指示を行うと、保存先ＵＲＬに位置する動画ファイル９０が、ファイルサーバ９から携帯電話５にダウンロードされる（Ｓ２０３：ＹＥＳ、Ｓ２０５、Ｓ１５９：ＹＥＳ、Ｓ１６１〜Ｓ１６３）。携帯電話５は、ファイルサーバ９からダウンロードされた動画ファイル９０を、画面５１にてストリーミング方式で再生する（Ｓ２０９〜Ｓ２１１）。このとき、画面５１では、第１実施形態と同様にＦＡＸデータ６０の画像内容がスクロール表示される（図１１参照）。
【００８５】
以上説明したように、本発明の第２実施形態によれば、複合機１は、送信元端末（ＦＡＸ機２）からＦＡＸデータを受信すると、そのＦＡＸデータをスクロール表示する動画ファイルを生成して、ファイルサーバ９に送信する。ファイルサーバ９は、複合機１から受信した動画ファイルに保存先ＵＲＬを設定して、複合機１に保存先ＵＲＬを返信する。複合機１は、ファイルサーバ９から受信した保存先ＵＲＬを、転送先端末（携帯電話５）に送信する。転送先端末（携帯電話５）は、複合機１から受信した保存先ＵＲＬに接続することで動画ファイルを再生して、ＦＡＸデータの有効範囲を文字方向にスクロール表示する。したがって、転送先端末（携帯電話５）の画面サイズが小さい場合でも、画面をスクロールさせる操作の負担を抑制しつつ、ユーザにＦＡＸデータの内容を認識させることができる。
【００８６】
上記実施形態において、ステップＳ１またはステップＳ１０１を実行するＣＰＵ２０が、本発明の「データ受信手段」にそれぞれ相当する。ステップＳ１７またはステップＳ１１７（図８に示す動画化処理）を実行するＣＰＵ２０が、本発明の「データ生成手段」にそれぞれ相当する。ステップＳ２１〜Ｓ２３またはステップＳ１２１、Ｓ１２５〜Ｓ１２７を実行するＣＰＵ２０が、本発明の「データ出力手段」にそれぞれ相当する。ステップＳ１またはステップＳ１０１が、本発明の「データ受信ステップ」にそれぞれ相当する。ステップＳ１７またはステップＳ１１７（図８に示す動画化処理）が、本発明の「データ生成ステップ」にそれぞれ相当する。ステップＳ２３またはステップＳ１２１、Ｓ１２７が、本発明の「データ出力ステップ」にそれぞれ相当する。
【００８７】
ステップＳ７またはステップＳ１０７を実行するＣＰＵ２０が、本発明の「範囲設定手段」にそれぞれ相当する。ステップＳ１１またはステップＳ１１１を実行するＣＰＵ２０が、本発明の「サイズ判断手段」にそれぞれ相当する。ステップＳ５３を実行するＣＰＵ２０が、本発明の「文字状態判断手段」に相当する。転送先情報記憶エリア２３３が、本発明の「条件記憶手段」に相当する。ステップＳ５またはステップＳ１０５を実行するＣＰＵ２０が、本発明の「条件取得手段」にそれぞれ相当する。ステップＳ５７を実行するＣＰＵ２０が、本発明の「全体画像生成手段」に相当する。ステップＳ３またはステップＳ１０３を実行するＣＰＵ２０が、本発明の「送信元判断手段」にそれぞれ相当する。
【００８８】
本発明は、上記実施形態に限定されるものではなく、発明の要旨を変更しない範囲での変更が可能である。例えば、第１実施形態では、複合機１から転送先端末に、変換済データが添付された電子メールが送信される場合を例示した。これに替えて、複合機１から転送先端末に、保存先ＵＲＬが設定された電子メールが送信されてもよい。
【００８９】
具体的には、複合機１のＦＡＸ転送処理（図４参照）では、ステップＳ１７またはステップＳ１９の実行後に、ステップＳ１５５が実行される。これにより、変換済データ記憶エリア２３４に保存された変換済データに、第２実施形態と同様に保存先ＵＲＬが設定される。ステップＳ２１〜Ｓ２３では、保存先ＵＲＬが設定された電子メールが、転送先端末に送信される。さらに、複合機１では、ステップＳ１５９〜Ｓ１６３が実行される。これにより、複合機１では、ダウンロード要求を受信すると転送先端末に変換済データが送信される。転送先端末では、第２実施形態と同様にデータ受信処理が実行され（図１５参照）、複合機１からダウンロードされた変換済データが出力される。
【００９０】
第２実施形態では、複合機１で変換済データが生成され、ファイルサーバ９に変換済データが保存される場合を例示した。これに替えて、ファイルサーバ９で直接ＦＡＸデータが受信されて、変換済データが生成および保存されてもよい。具体的には、ファイルサーバ９が、ＦＡＸデータを直接受信するためのＦＡＸモデムを備え、ＦＡＸ転送処理（図１３参照）を実行する。この場合、ステップＳ１２１〜Ｓ１２３に替えて、ファイルサーバ９のＨＤＤに変換済データが保存され、その変換済データに保存先ＵＲＬが設定される。なお、第１実施形態についても同様に、複合機１に代えて、ファイルサーバ９がＦＡＸ転送処理（図４参照）を実行するようにしてもよい。
【００９１】
また、複合機１からファイルサーバ９にＦＡＸデータが転送され、ファイルサーバ９で変換済データが生成および保存が行われてもよい。具体的には、複合機１のＦＡＸ転送処理（図４参照）では、ステップＳ１０１に替えて、ＦＡＸデータがファイルサーバ９に転送される。ファイルサーバ９が、ＥＥＰＲＯＭ２３と同様の記憶領域を備え、ステップＳ１０１〜Ｓ１１９を実行し、さらにステップＳ１５５〜Ｓ１５７を実行する。複合機１では、変換済データの転送後、ステップＳ１２３〜Ｓ１２７が実行される。これにより、複合機１は、ファイルサーバ９にＦＡＸデータを転送するだけで、ファイルサーバ９から変換済データの保存先ＵＲＬを取得することができる。
【００９２】
上記実施形態では、動画化処理（図８参照）において、次回のスクロール表示の対象となる次行を含むように、２行単位でスクロール表示を行う動画ファイルが生成される。これに替えて、前回のスクロール表示の対象となる前行を含むように、２行単位でスクロール表示を行う動画ファイルが生成されてもよい。また、３行以上の単位でスクロール表示を行う動画ファイルが生成されてもよい。３行以上の単位でスクロール表示を行う動画ファイルは、スクロール表示の対象となる行から数行前まで、および、スクロール表示の対象となる行から数行後までの少なくとも一方を含むようにスクロール表示を行ってもよい。つまり、動画ファイルは、少なくとも前回または次回のスクロール表示で表示される文字情報の一部が含めて、複数行の文字情報をスクロール表示できればよい。
【００９３】
さらに、動画化処理（図８参照）において、文字情報を行単位で含むＦＡＸデータに基づいて動画ファイルが生成されているが、他の画像データに基づいて動画ファイルが生成されてもよい。例えば、画像処理によって文字情報が認識できなかった画像データ、または、文字情報が構成する行を認識できなかった画像データに対して、ステップＳ６３にて次のような処理を行ってもよい。
【００９４】
すなわち、画像データに対して画像読取範囲（一例として、縦１０センチ×横７センチ）を所定方向（例えば、右方向）に移動させつつ、画像読取範囲に含まれる画像領域を連続的に取り込む。画像読取範囲が画像データの右端まで到達した場合、画像読取範囲を所定幅（一例として、３センチ）だけ所定方向と直交する方向（例えば、下方向）に移動させたのち、再び所定方向に移動させて画像領域を取り込む。このような処理によって生成された動画ファイルは、少なくとも前回または次回のスクロール表示で表示される画像情報と一部が重複するように、画像情報をスクロール表示することができる。
【００９５】
上記実施形態では、転送先情報記憶エリア２３３に転送先情報が登録されている端末装置が、ＦＡＸデータの転送先に設定される（ステップＳ５、Ｓ１０５）。転送先情報記憶エリア２３３に複数の転送先情報が登録されている場合、各転送先情報にそれぞれ対応する端末装置（例えば、携帯電話５およびＰＣ６）の全てがＦＡＸデータの転送先に設定されてもよい。また、転送先情報記憶エリア２３３に転送先情報が登録されている端末装置のうちで、ユーザが操作キー２６を用いて指定した端末装置のみが、ＦＡＸデータの転送先に設定されてもよい。
【符号の説明】
【００９６】
１    複合機
２    ＦＡＸ機
４    公衆回線
５    携帯電話
８    インターネット
９    ファイルサーバ
２０    ＣＰＵ
２１    ＲＯＭ
２２    ＲＡＭ
２３    ＥＥＰＲＯＭ
２６    操作キー
２９    ＬＡＮコントローラ
４２    回線制御部
５１    画面
５２    操作キー
６０    ＦＡＸデータ
６１    ヘッダ部
６２    ボディ部
６３    有効範囲
７０    合成画像
８０    全体画像
９０    動画ファイル
２３１    ＦＡＸデータ記憶エリア
２３２    送信元情報記憶エリア
２３３    転送先情報記憶エリア
２３４    変換済データ記憶エリア
【図１】
2011160118.tif 000003
【図２】
2011160118.tif 000004
【図３】
2011160118.tif 000005
【図４】
2011160118.tif 000006
【図５】
2011160118.tif 000007
【図６】
2011160118.tif 000008
【図７】
2011160118.tif 000009
【図８】
2011160118.tif 000010
【図９】
2011160118.tif 000011
【図１０】
2011160118.tif 000012
【図１１】
2011160118.tif 000013
【図１２】
2011160118.tif 000014
【図１３】
2011160118.tif 000015
【図１４】
2011160118.tif 000016
【図１５】
2011160118.tif 000017